(57)【要約】【課題】ユーザの表示情報の視認性を向上させることができる表示調整装置およびこれを備えた表示システムを提供する。【解決手段】視距離取得部２０は、表示部３の表示画面とユーザとの間の視距離情報を取得する。視力情報取得部２１は、ユーザの視力情報を取得する。表示制御部２２は、表示部３に情報を表示させる。画質調整部２２ａは、視距離情報と視力情報を用いて表示部３に表示する情報の画質を調整する。【選択図】図１
2017021076.tif 000002
【特許請求の範囲】
【請求項１】
表示部の表示画面とユーザとの間の視距離情報を取得する視距離取得部と、
前記ユーザの視力情報を取得する視力情報取得部と、
前記表示部に情報を表示させる表示制御部と、
前記視距離情報と前記視力情報を用いて、前記表示部に表示する情報の画質を調整する画質調整部と
を備えたことを特徴とする表示調整装置。
【請求項２】
前記画質調整部は、前記表示部に表示された情報のエッジ部分を強調させることを特徴とする請求項１記載の表示調整装置。
【請求項３】
前記表示制御部は、前記表示部の表示画面上に設けられたレンチキュラーレンズシートを介した３次元表示を行い、
前記画質調整部は、前記表示部に表示された３次元表示の画質を調整することを特徴とする請求項１または請求項２記載の表示調整装置。
【請求項４】
前記表示部と、
請求項１から請求項３のうちのいずれか１項記載の表示調整装置と
を備えたことを特徴とする表示システム。
【発明の詳細な説明】
【技術分野】
【０００１】
この発明は、ユーザの視力に応じて画像表示を調整する表示調整装置およびこれを備えた表示システムに関する。
【背景技術】
【０００２】
例えば、特許文献１には、ヘッドアップディスプレイにおける表示光が結像される仮想ディスプレイとし、この仮想ディスプレイの傾斜角度を、ユーザの視線角度に応じて調整する表示システムが記載されている。このような調整を行うことで、ユーザの視野に的確に情報が表示される。
【先行技術文献】
【特許文献】
【０００３】
【特許文献１】国際公開第２０１３／８４５９３号
【発明の概要】
【発明が解決しようとする課題】
【０００４】
特許文献１に代表される従来の技術では、ユーザの視野に情報が的確に表示されるように調整することはできる。
しかしながら、ユーザの視力情報が考慮されていないため、ユーザによっては表示情報の視認性が低下するという課題があった。
【０００５】
この発明は上記の課題を解決するもので、ユーザの表示情報の視認性を向上させることができる表示調整装置およびこれを備えた表示システムを得ることを目的とする。
【課題を解決するための手段】
【０００６】
この発明に係る表示調整装置は、視距離取得部、視力情報取得部、表示制御部、画質調整部を備える。視距離取得部は、表示部の表示画面とユーザとの間の視距離情報を取得する。視力情報取得部は、ユーザの視力情報を取得する。表示制御部は、表示部に情報を表示させる。画質調整部は、視距離情報と視力情報を用いて、表示部に表示する情報の画質を調整する。
【発明の効果】
【０００７】
この発明によれば、視距離情報と視力情報を用いて画質を調整することから、ユーザの表示情報の視認性を向上させることができる。
【図面の簡単な説明】
【０００８】
【図１】この発明の実施の形態１に係る表示システムの構成を示すブロック図である。
【図２】実施の形態１に係る表示調整装置のハードウェア構成を示すブロック図である。
【図３】実施の形態１に係る表示調整装置の動作を示すフローチャートである。
【発明を実施するための形態】
【０００９】
実施の形態１．
図１はこの発明の実施の形態１に係る表示システム１の構成を示すブロック図である。
表示システム１は、例えば、車両に搭載された表示システムであり、表示調整装置２と表示部３を備える。また、表示調整装置２は、視距離取得部２０、視力情報取得部２１、表示制御部２２および画質調整部２２ａを備える。
【００１０】
視距離取得部２０は、表示部３の表示画面とユーザとの間の視距離情報を取得する構成要素である。例えば、表示部３の表示画面と車両の座席ごとのユーザとの間の視距離情報を予め記憶装置に記憶しておき、視距離取得部２０が調整対象のユーザに対応する視距離情報を当該記憶装置から読み出して取得する。あるいは、視距離取得部２０が、入力装置を用いたユーザによる視距離情報の設定入力を受け付けてもよい。
【００１１】
視力情報取得部２１は、ユーザの視力情報を取得する構成要素である。例えば、視距離取得部２０の場合と同様に、表示部３の表示画面と車両の座席ごとのユーザとの間の視力情報を予め記憶装置に記憶しておき、視力情報取得部２１が調整対象のユーザに対応する視力情報を当該記憶装置から読み出して取得する。または、視力情報取得部２１が、入力装置を用いたユーザによる視力情報の設定入力を受け付けてもよい。
【００１２】
表示制御部２２は表示部３に情報を表示させる。例えば、映像再生装置から画像データを入力して、表示部３で表示可能なデータに変換してから表示部３に出力する。表示部３は、表示制御部２２の制御により、画像データが示す画像を表示する。
また、表示制御部２２は、表示部３の表示画面とユーザとの間に設けられたレンチキュラーレンズシートを介した３次元表示を行う。レンチキュラーレンズシートとは、縦縞状にレンズが形成されたシートであり、２次元表示を行う表示部３の表示画面上に配置される。表示部３の２次元表示を、レンチキュラーレンズシートを通して見ることで、人間の両眼視差によって立体的に見える、いわゆる疑似的な３次元表示が可能となる。
【００１３】
画質調整部２２ａは、視距離情報と視力情報を用いて、表示部３に表示する情報の画質を調整する構成要素である。例えば、表示部３に表示された情報のエッジ部分を強調させる。エッジ強調処理としては、アンシャープマスキング処理が挙げられる。
画質調整部２２ａによって調整された画像データは、表示制御部２２によって表示部３に表示される。
【００１４】
表示部３は、画像データなどの情報を表示する構成要素であり、例えば、車室内前方に配置されたディスプレイで具体化される。また、ディスプレイは、運転者の前方のフロントガラスまたはコンバイナに情報を表示するヘッドアップディスプレイであってもよい。
さらに、表示部３の表示画面とユーザとの間にレンチキュラーレンズシートを配置して疑似的な３次元表示を行うように構成してもよい。
【００１５】
表示調整装置２における、視距離取得部２０、視力情報取得部２１、表示制御部２２、画質調整部２２ａの各機能は、処理回路により実現される。また、表示部３は、ディスプレイ１０１である。すなわち、表示調整装置２は、図３で後述する各処理を実行する処理装置を備える。処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ）であってもよい。
【００１６】
図２（ａ）に示すように、視距離取得部２０、視力情報取得部２１、表示制御部２２、画質調整部２２ａの各機能を実現する処理回路１００が専用のハードウェアである場合、処理回路１００は、例えば、単一回路、複合回路、プログラム化されたプロセッサ、並列プログラム化されたプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、または、これらの組み合わせたものが該当する。
視距離取得部２０、視力情報取得部２１、表示制御部２２、画質調整部２２ａの各機能を実現する処理回路をそれぞれ設けてもよく、これらの機能をまとめて１つの処理回路で実現してもよい。
【００１７】
図２（ｂ）に示すように、処理回路がＣＰＵ１０２である場合、視距離取得部２０、視力情報取得部２１、表示制御部２２、画質調整部２２ａの各機能は、ソフトウェア、ファームウェア、またはソフトウェアとファームウェアとの組み合わせにより実現される。
ソフトウェアおよびファームウェアはプログラムとして記述され、メモリ１０３に格納される。ＣＰＵ１０２は、メモリ１０３に格納されたプログラムを読み出して実行することにより視距離取得部２０、視力情報取得部２１、表示制御部２２、画質調整部２２ａの各機能を実現する。
すなわち、表示調整装置２は、ＣＰＵ１０２により実行されるときに、図３に示される各処理が結果的に実行されることになるプログラムを格納するためのメモリ１０３を備える。また、これらのプログラムは、視距離取得部２０、視力情報取得部２１、表示制御部２２、画質調整部２２ａの手順と方法をコンピュータに実行させるものである。
【００１８】
ここで、メモリ１０３とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）などの、不揮発性または揮発性の半導体メモリ、磁気ディスク、フレキシブルディスク、光ディスク、光磁気ディスク、ＣＤ（Ｃｏｍｐａｃｔ  Ｄｉｓｃ）、ミニディスク、ＤＶＤ（Ｄｉｇｉｔａｌ  Ｖｅｒｓａｔｉｌｅ  Ｄｉｓｃ）などが該当する。
【００１９】
なお、視距離取得部２０、視力情報取得部２１、表示制御部２２、画質調整部２２ａの各機能について一部を専用のハードウェアで実現し、一部をソフトウェアまたはファームウェアで実現してもよい。
例えば、視距離取得部２０については専用のハードウェアとしての処理回路でその機能を実現し、視力情報取得部２１、表示制御部２２および画質調整部２２ａは処理回路が、メモリに格納されたプログラムを読み出して実行することにより、その機能を実現する。このように、処理回路は、ハードウェア、ソフトウェアまたはこれらの組み合わせによって、前述の各機能を実現することができる。
【００２０】
次に動作について説明する。
図３は、実施の形態１に係る表示調整装置２の動作を示すフローチャートであり、画質調整の一連の処理を示している。
まず、表示制御部２２は、表示調整装置２の外部にある映像再生装置から画像データを取得する（ステップＳＴ１）。
次に、視距離取得部２０が、調整対象のユーザの視距離情報を取得し、視力情報取得部２１が、同ユーザの視力情報を取得する（ステップＳＴ２）。これらの情報は、画質調整部２２ａに送られる。
【００２１】
画質調整部２２ａは、調整対象のユーザの視距離情報と視力情報を用いて、表示部３に表示する画像データの画質を調整する（ステップＳＴ３）。
例えば、助手席のユーザから見て疑似的な３次元表示がぼやけないように、表示部３に表示される２次元表示画像データのエッジ部分を強調させる。
処理のポイントとしては、エッジ部分を強調させることで光の屈折による虚像のぼやけを抑制している。エッジ強調には、前述したようにアンシャープマスキング処理を行う。
【００２２】
まず、画質調整部２２ａは、元画像ＸとＸに平滑化処理が施されたＸ’との差分を算出して、高周波成分であるエッジ部分を抽出する。次に、下記式（１）に従って、抽出した高周波成分に元画像Ｘを重ね合わせることにより、エッジ部分が強調された画像Ｙが出力される。強調の度合いは、抽出した高周波成分に係数Ｋを乗算することよって調整する。
また、係数Ｋは、下記式（２）から算出する。ただし、視距離をＬとし、下記式（２）は、視力２．０を基準として調整対象のユーザの視力Ｅとの比率を求めている。
Ｙ＝Ｘ＋Ｋ×（Ｘ−Ｘ’）  ・・・（１）
Ｋ＝Ｅ×Ｌ／２．０        ・・・（２）
【００２３】
レンチキュラーレンズシートによる疑似的な３次元表示は、視距離に応じてエッジ部分がぼやける場合がある。そこで、本発明では、調整対象のユーザの視距離と視力に応じてエッジ部分を強調する処理を施すことにより、視認性のよい疑似的な３次元表示を実現することができる。
【００２４】
以上のように、実施の形態１に係る表示調整装置２は、視距離取得部２０、視力情報取得部２１、表示制御部２２、画質調整部２２ａを備える。視距離取得部２０は、表示部３の表示画面とユーザとの間の視距離情報を取得する。視力情報取得部２１は、ユーザの視力情報を取得する。表示制御部２２は、表示部３に情報を表示させる。画質調整部２２ａは、視距離情報と視力情報を用いて、表示部３に表示する情報の画質を調整する。
このように視距離情報と視力情報を用いて画質を調整することから、ユーザの表示情報の視認性を向上させることができる。
【００２５】
また、実施の形態１に係る表示調整装置２において、画質調整部２２ａは、表示部３に表示された情報のエッジ部分を強調させる。このように構成することで、ユーザの視距離と視力に応じてぼけのない画像表示を行うことができる。
【００２６】
さらに、実施の形態１に係る表示調整装置２において、表示制御部２２は、表示部３の表示画面上に設けられたレンチキュラーレンズシートを介した３次元表示を行う。画質調整部２２ａは、表示部３に表示された３次元表示の画質を調整する。このように構成することで、ユーザから見て視認性のよい疑似的な３次元表示を実現することができる。
【００２７】
さらに、実施の形態１に係る表示システム１は、表示部３と表示調整装置２を備える。
このように構成することで、上記と同様の効果を得ることができる表示システムを実現することができる。特に、レンチキュラーレンズシートを介した３次元表示を行う車載用の表示システムに好適である。
【００２８】
なお、本発明はその発明の範囲内において、実施の形態の任意の構成要素の変形、もしくは実施の形態の任意の構成要素の省略が可能である。
【符号の説明】
【００２９】
１  表示システム、２  表示調整装置、３  表示部、２０  視距離取得部、２１  視力情報取得部、２２  表示制御部、２２ａ  画質調整部、１００  処理回路、１０１  ディスプレイ、１０２  ＣＰＵ、１０３  メモリ。
【図１】
2017021076.tif 000003
【図２】
2017021076.tif 000004
【図３】
2017021076.tif 000005